(57)【要約】【課題】  弁座シートの取り付けに際して別体の取り付け部品を必要とせず精度よく取り付けられるばかりか使用中に脱落する心配のない弁座を有するレギュレータを提供する。【解決手段】  弁座３はインサート成形により弁座シート４と弁座シート保持部材５とが一体に形成されており、弁座シート４が、弁座シート保持部材５の導入口２１側の側面５３および前記調圧室２５側の側面５４に開口が露出するように形成した貫通孔である保持部５１に嵌挿される軸体４１と、弁座シート保持部材５の導入口２１側の側面５３に沿って接合配置される前記軸体４１よりも大径の係止体４２と、弁座シート保持部材５の調圧室２５側の側面５４に沿って接合配置される軸体４１よりも大径の弁座シート本体４３とからなり、軸体４１と係止体４２と弁座シート本体４３とが一体に形成される。【選択図】図１
2020041616.tif 000002
【特許請求の範囲】
【請求項１】
本体部に貫通して形成した筒状の通路における一方の開口端を高圧流体の導入口、他方の開口端を減圧流体の取出口とし、前記通路における前記導入口の内方に弁座シートを内側に有するとともに前記通路の軸線方向への通孔を形成した弁座シート保持部材からなる弁座を介して調圧室を配置し、前記通路の前記調圧室と前記取出口との間に前記弁座シートに密接可能な先端面を有するとともに両端を開放した筒状の連通通路を有する調圧弁体と前記調圧弁体の前記通路における取出口側の外周に包囲して形成されたピストン部とからなるピストン調圧弁が前記通路の軸線方向に摺動可能に且つ付勢されており、前記導入口から導入される高圧流体が前記調圧弁体の弁座シート保持部材に形成した通孔を介して弁座シートと前記弁座シートに向かい合うように設けられた調圧室へ導入されて前記調圧弁体の通路を介して取出口から減圧流体として取り出されるレギュレータにおいて、
前記弁座シート保持部材に、前記調圧室側に開口が露出するとともに少なくとも一部が前記開口よりも大径の内周面を有する溝または孔である保持部が形成されており、
前記弁座シートが、前記保持部に嵌挿される係止体と、前記弁座シート保持部材の前記調圧室側の側面に沿って接合配置されて前記調圧弁体と密接する弁座シート本体とからなり、前記係止体と前記弁座シート本体とが一体に形成されており、前記弁座シートが前記弁座シート保持部材にインサート成形により形成されていることを特徴とするレギュレータ。
【請求項２】
本体部に貫通して形成した筒状の通路における一方の開口端を高圧流体の導入口、他方の開口端を減圧流体の取出口とし、前記通路における前記導入口の内方に弁座シートを内側に有するとともに前記通路の軸線方向への通孔を形成した弁座シート保持部材からなる弁座を介して調圧室を配置し、前記通路の前記調圧室と前記取出口との間に前記弁座シートに密接可能な先端面を有するとともに両端を開放した筒状の連通通路を有する調圧弁体と前記調圧弁体の前記通路における取出口側の外周に包囲して形成されたピストン部とからなるピストン調圧弁が前記通路の軸線方向に摺動可能に且つ付勢されており、前記導入口から導入される高圧流体が前記調圧弁体の弁座シート保持部材に形成した通孔を介して弁座シートと前記弁座シートに向かい合うように設けられた調圧室へ導入されて前記調圧弁体の通路を介して取出口から減圧流体として取り出されるレギュレータにおいて、
前記弁座シート保持部材に、前記導入口側の側面および前記調圧室側の側面に開口が露出する貫通孔である保持部が形成されており、
前記弁座シートが、前記保持部に嵌挿される軸体と、前記弁座シート保持部材の前記導入口側の側面に沿って接合配置される前記軸体よりも大径の係止体と、前記弁座シート保持部材の前記調圧室側の側面に沿って接合配置される前記軸体よりも大径の弁座シート本体とからなり、前記軸体と前記弁座シート本体と前記係止体とが一体に形成されており、前記弁座シートが前記弁座シート保持部材にインサート成形により形成されていることを特徴とするレギュレータ。
【請求項３】
前記弁座シート保持部材に形成した貫通孔である保持部が前記調圧室および前記導入口に向けてそれぞれ拡開することを特徴とする請求項２記載のレギュレータ。
【請求項４】
前記弁座シートがスーパーエンジニアリングプラスチックにより形成されていることを特徴とする請求項１，２または３記載のレギュレータ。
【請求項５】
前記弁座シートにおける弁座シート本体の径が前記弁座シート本体に対向して配置される前記調圧弁体の先端と同径またはそれ以上であることを特徴とする請求項１，２，３または４記載のレギュレータ。
【請求項６】
前記調圧弁体の弁座シート側内周先端が先端方向に向けて拡開するテーパ形状に形成されていることを特徴とする請求項１，２，３または４記載のレギュレータ。
【発明の詳細な説明】
【技術分野】
【０００１】
本発明は、高圧の流体を所望の圧力に減圧する際に用いられるレギュレータに関する。
【背景技術】
【０００２】
調圧室内の圧力変動によりピストンを介して調圧バルブを開閉し、高圧流体の流量を制御するレギュレータは例えば実開昭５２−９２４３６号公報に提示されているように旧くから知られており、例えば燃料タンクに貯留したＣＮＧなどの高圧燃料をエンジンに供給する際などの調圧器などに利用されている。
【０００３】
図７は前記従来のレギュレータの一例を示すものであり、本体部１に貫通して形成した筒状の通路２における一方の開口端を高圧流体の導入口２１、他方の開口端を減圧流体の取出口２２としており、前記導入口２１および取出口２２には高圧流体を気密に導入するための入口カバー２３および調圧した減圧流体を気密に取り出すための出口カバー２４がそれぞれ配置されている。
【０００４】
また、前記取出口２２側に形成した保持部５７に円筒形状の弁座シート４を止めねじ４
０により固着するとともに前記通路２の軸線方向に沿った複数の通孔５２を形成した隔壁であるシート保持部材５を有する弁座３が前記通路２における前記導入口２１の内方で入口カバー２３によって所定位置に配置されており、前記通路２の前記弁座シート４の導入口２１側方向に前記弁座３によって区分された調圧室２５が形成されている。
【０００５】
更に、前記通路２の前記調圧室２５と前記取出口２２との間に前記弁座３の弁座シート４０に密接可能な先端面６１を有するとともに両端を開放した筒状の連通通路６２を有する調圧弁体６と前記調圧弁体６の前記通路２における取出口２２側の外周に包囲して形成された前記調圧弁体６よりも大径のピストン部７とからなるピストン調圧弁８が前記通路２の軸線方向に摺動可能に配置されている。
【０００６】
更にまた、前記ピストン部７にはその周囲において前記調圧室２５と同軸上に並行して設けられた大気室２６内に配置された所定の荷重を有する調圧ばね９により前記通路２の取出口２２方向に付勢されている構成であり、図８に示すように、前記導入口２１から導入される高圧流体が前記弁座３の弁座シート保持部材５に形成した通孔５２を介して前記弁座シート４に向かい合うように設けられた調圧室２５へと導入され、連通通路６２が形成された調圧弁体６を通過して前記調圧弁体６と接合されたピストン部７に作用する流体の圧力による荷重と調圧室２５とは逆側にピストン部７に作用する調圧ばね９による荷重とが釣り合うことにより、前記弁座シート４と調圧弁体６の開口面積を変化させて前記調圧室の流体圧力を制御することで、所望の圧力に調整した減圧流体を取出口２２から取り出すものである。
【０００７】
しかしながら、前記従来のレギュレータの弁座３は、弁座シート４が止めねじ４０により固着されているものであり、別に固着するための部品と製造工程を必要とし、特に、弁座シート４は調圧弁体６の先端面６１と密接させるために高精度の成形および配置が必要であることから取り付けの際の手間と高価な部品を必要とする問題があり、加えて、止めねじ４０による取り付けでは使用中に止めねじ４０が緩んで弁座シート４の位置ずれや脱落が生じるという問題がある。
【０００８】
また、図９に示すように、弁座シート保持部材５の保持部５７に弁座シート４を圧入し
、保持部５７の内周面５８より突設させた環状突起５９によって固定するものも知られており、この取り付け手段によると、別体の取り付け部品を必要とせず製造工程も簡単である。
【０００９】
しかしながら、弁座シート４を弾性材により形成する場合には使用による劣化や調圧弁体６との間に生じる粘着力などにより抜け落ち易く、長期の不使用期間が続くと著しいことに加え、使用時に弁座シート４と保持部５７の間に高圧流体が回りこむ様に圧力が掛かり、弁座シート４が保持部５７より脱落してしまうという問題も生じる（図１０参照）。
【先行技術文献】
【特許文献】
【００１０】
【特許文献１】実開昭５２−９２４３６号公報
【発明の概要】
【発明が解決しようとする課題】
【００１１】
本発明は前記課題を解決するためになされたものであり、弁座シートの取り付けに際して別体の取り付け部品を必要とせず精度よく取り付けられるばかりか使用中に脱落する心配のない弁座シートを有するレギュレータを提供することを課題とする。
【課題を解決するための手段】
【００１２】
前記課題を解決するためになされた本発明であるレギュレータは、本体部に貫通して形成した筒状の通路における一方の開口端を高圧流体の導入口、他方の開口端を減圧流体の取出口とし、前記通路における前記導入口の内方に弁座シートを内側に有するとともに前記通路の軸線方向への通孔を形成した弁座シート保持部材からなる弁座を介して調圧室を配置し、前記通路の前記調圧室と前記取出口との間に前記弁座シートに密接可能な先端面を有するとともに両端を開放した筒状の連通通路を有する調圧弁体と前記調圧弁体の前記通路における取出口側の外周に包囲して形成されたピストン部とからなるピストン調圧弁が前記通路の軸線方向に摺動可能に且つ付勢されており、前記導入口から導入される高圧流体が前記調圧弁体の弁座シート保持部材に形成した通孔を介して弁座シートと前記弁座シートに向かい合うように設けられた調圧室へ導入されて前記調圧弁体の通路を介して取出口から減圧流体として取り出されるレギュレータにおいて、前記弁座シート保持部材に
、前記調圧室側に開口が露出するとともに少なくとも一部が前記開口よりも大径の内周面を有する溝または孔である保持部が形成されており、前記弁座シートが、前記保持部に嵌挿される係止体と、前記弁座シート保持部材の前記調圧室側の側面に沿って接合配置されて前記調圧弁体と密接する弁座シート本体とからなり、前記係止体と前記弁座シート本体とが一体に形成されており、前記弁座シートが前記弁座シート保持部材にインサート成形により形成されていることを特徴とする。
【００１３】
あるいは、本体部に貫通して形成した筒状の通路における一方の開口端を高圧流体の導入口、他方の開口端を減圧流体の取出口とし、前記通路における前記導入口の内方に弁座シートを内側に有するとともに前記通路の軸線方向への通孔を形成した弁座シート保持部材からなる弁座を介して調圧室を配置し、前記通路の前記調圧室と前記取出口との間に前記弁座シートに密接可能な先端面を有するとともに両端を開放した筒状の連通通路を有する調圧弁体と前記調圧弁体の前記通路における取出口側の外周に包囲して形成されたピストン部とからなるピストン調圧弁が前記通路の軸線方向に摺動可能に且つ付勢されており
、前記導入口から導入される高圧流体が前記調圧弁体の弁座シート保持部材に形成した通孔を介して弁座シートと前記弁座シートに向かい合うように設けられた調圧室へ導入されて前記調圧弁体の通路を介して取出口から減圧流体として取り出されるレギュレータにおいて、前記弁座シート保持部材に、前記導入口側の側面および前記調圧室側の側面に開口が露出する貫通孔である保持部が形成されており、前記弁座シートが、前記保持部に嵌挿される軸体と、前記弁座シート保持部材の前記導入口側の側面に沿って接合配置される前記軸体よりも大径の係止体と、前記弁座シート保持部材の前記調圧室側の側面に沿って接合配置される前記軸体よりも大径の弁座シート本体とからなり、前記軸体と前記弁座シート本体と前記係止体とが一体に形成されており、前記弁座シートが前記弁座シート保持部材にインサート成形により形成されていることを特徴とする。
【００１４】
また、本発明において、前記弁座シート保持部材に形成した貫通孔である保持部が前記調圧室および前記導入口に向けてそれぞれ拡開することで弁座シートを所定の位置に精度よく固着することができるとともに軸方向に移動するのを防止することができる。
【００１５】
更に、前記弁座シートがスーパーエンジニアリングプラスチックにより形成されている場合には、耐磨耗性に優れ、軽量で錆びず、精度良く成形加工でき多量生産にも適しており、殊に、使用される燃料や高温にも耐性を有するという利点を有している。
【００１６】
また、前記弁座シートにおける弁座シート本体の径が前記弁座シート本体に対向して配置される調圧弁体の先端と同径またはそれ以上であることにより確実に開閉作用を発揮させることができる。
【００１７】
加えて、前記調圧弁体の弁座シート側内周先端が先端方向に向けて拡開するテーパ形状に形成されている場合には閉鎖時に弁座シートと調圧弁体が確実に密接して閉鎖させることができる。
【発明の効果】
【００１８】
本発明によれば、弁座を構成する部品の個体差や製造者の技能によるバラツキが解消されるとともに弁座シートが精度よく確実に取り付けられるばかりか使用中に脱落する心配のない弁座を有するレギュレータを提供することができる。
【図面の簡単な説明】
【００１９】
【図１】本発明における実施の形態における閉弁時を示す断面図。
【図２】図１に示した実施の形態における開弁時を示す断面図。
【図３】図１および図２に示した実施の形態における弁座を示すものであり、（ａ）は弁座シートの縦断面図、（ｂ）は弁座シート保持部材の縦断面図、（ｃ）は弁座の縦断面図、（ｄ）は弁座の斜視図。
【図４】図３に示した弁座の製造工程の一例を示す説明図であり、（ａ）はインサート成形機に弁座シート保持部材を取り付けた状態の断面図、（ｂ）は弁座シートを形成する樹脂を注入した状態の断面図、（ｃ）は弁座が完成した状態を示す断面図。
【図５】本発明の異なる実施の形態を示す断面図。
【図６】本発明の更に異なる実施の形態を示す断面図。
【図７】従来例の閉弁時を示す断面図。
【図８】図７に示した従来例の開弁時を示す断面図。
【図９】異なる従来例を示す断面図。
【図１０】図９に示した従来例における不具合発生例を示す説明図。
【発明を実施するための形態】
【００２０】
以下に、図面を参照しながら本発明を実施するための形態を説明する。
【００２１】
図１乃至図２は、本発明における好ましい実施の形態の断面図を示すものであり、全体の構成は前記図７乃至図１０に示した従来例とほぼ同様であり、それらの部分については詳細な説明を省略する。また、前記従来例と同一構成部には同一符号を付して説明する。
【００２２】
そして、特に前記従来例と異なる点は、弁座３の構成である。本実施の形態における弁座３は、図３に示したように、弁座シート４が、弁座シート保持部材５の導入口２１側の側面５３および前記調圧室２５側の側面５４に開口が露出するように形成した貫通孔である保持部５１に嵌挿される軸体４１と、弁座シート保持部材５の導入口２１側の側面５３に沿って接合配置される前記軸体４１よりも大径の係止体４２と、弁座シート保持部材５の調圧室２５側の側面５４に沿って接合配置される軸体４１よりも大径の弁座シート本体４３とからなり、軸体４１と係止体４２と弁座シート本体４３とが一体に形成される。
【００２３】
そして、本実施の形態における弁座３は、弁座シート４が熱可塑性樹脂または熱硬化性樹脂により形成されることを要し、特に従来周知のエンジニアリングプラスチック或いはスーパーエンジニアリングプラスチックにより成形されることが好ましく、例えば図４に示すようなインサート成形により弁座シート４と弁座シート保持部材５とが一体に形成される。
【００２４】
詳細に説明すると、本実施の形態の弁座シート４は、例えば切削や鋳造などの所定の成形方法で予め形成した弁座シート保持部材５をインサート成形用の金型Ｍ１，Ｍ２の間に取り付け（図４（ａ）参照）、キャビティに樹脂を充填し（図４（ｂ）参照）、樹脂が硬化した後に取り出すインサート成形により形成される（図４（ｃ）参照）。
【００２５】
尚、図４はあくまでインサート成形による製造工程の一例を示すものであり、金型Ｍ１
，Ｍ２に形成されるエア抜き孔などについての描写は省略している。
【００２６】
弁座シート４を構成する素材によっては、硬化時に収縮を起こして弁座シート保持部材５との間に微小隙間を生じる場合がある（図示せず）。しかしながら、微小隙間を介して高圧流体が通過しても閉弁時における弁座３としての機能に支障なく、却って微小隙間があることで自動的な調芯を可能とし更に精度の向上を図ることができる。
【００２７】
尚、弁座シート保持部材５は金属製であることが好ましいが、硬質樹脂その他の硬質素材を用いてもよい。
【００２８】
以上の構成を有する本実施の形態に用いられる弁座３によると、前記従来例のように取り付けに別部材を必要とせず部品の調達や管理ならびに製造工程を少なくして結果として製造価格の低下を図ることができる。また、取り付け並びに使用精度が良好で使用時に脱落する心配もない。
【００２９】
また、本実施の形態では、弁座シート保持部材５に形成した貫通孔である保持部５１が調圧室２５および導入口２１に向けてそれぞれ拡開することで弁座シート４を所定の位置に精度よく固着することができるとともに軸方向に移動するのを防止することができる。
【００３０】
更に、本実施の形態では、弁座シート４としてエンジニアリングプラスチック或いはス
ーパーエンジニアリングプラスチックで形成されているので、耐磨耗性に優れ、軽量で錆びず、精度良く成形加工でき多量生産にも適しており、殊に、使用される燃料や高温にも耐性を有するという利点を有している。
【００３１】
図５は本発明の異なる実施の形態を示すものであり、本実施の形態における弁座シート保持部材５は前記調圧室２５側に開口５５が露出するとともに少なくとも一部が前記開口５５よりも大径の内周面５６を形成した溝である保持部５１が形成されており、弁座シート４が、前記保持部５１に嵌挿される係止体４２と、前記弁座シート保持部材５の前記調圧室２５側の側面５４に沿って接合配置されて前記調圧弁体６と密接する弁座シート本体４３とからなり、前記係止体４２と前記弁座シート本体４３とが一体に形成されており、前記弁座シート４が前記弁座シート保持部材５にインサート成形により形成される。
【００３２】
図６は本発明の更に異なる実施の形態を示すものであり、前記図１に示した実施の形態では弁座シート４における弁座シート本体４２の径が弁座シート本体４２に対向して配置される調圧弁体６の先端と同径またはそれ以上であることから確実に開閉作用を行うことができるが、本実施の形態では、調圧弁体６の弁座シート４側の先端面６１が先端方向に向けて拡開するテーパ形状に形成されており、閉鎖時に弁座シート４と調圧弁体６とを確実に密接させて閉鎖させることができる。
【符号の説明】
【００３３】
１  本体部、２  通路、３  弁座、４  弁座シート、５  弁座シート保持部材、６  調圧弁体、７  ピストン部、８  ピストン調圧弁、９  調圧ばね、２１  導入口、２２  取出口、２３  入口カバー、２４  出口カバー、２５  調圧室、２６  大気室、４０  止めねじ、４１  軸体、４２  係止体、４３  弁座シート本体、５１  保持部、５２  通孔、５３  側面、５４  側面、５５  開口、５６  内周面、５７  保持部、５８  内周面、５９  環状突起、６１  先端面、６２  連通通路、Ｍ１  金型、Ｍ２  金型
【図１】
2020041616.tif 000003
【図２】
2020041616.tif 000004
【図３】
2020041616.tif 000005
【図４】
2020041616.tif 000006
【図５】
2020041616.tif 000007
【図６】
2020041616.tif 000008
【図７】
2020041616.tif 000009
【図８】
2020041616.tif 000010
【図９】
2020041616.tif 000011
【図１０】
2020041616.tif 000012